(57)【要約】      （修正有）【課題】枢体とライニング層との間にＦＲＰ製三次元中空構造層を設けることにより速やかに漏れ液を検知管に導入して早期発見を可能にした排水等貯槽の漏液検知装置を提供する。【解決手段】コンクリート等の構造枢体からなる排水等貯槽に設けられた漏液検知装置は、枢体の内壁表面を重防蝕用樹脂のライニング層２２で被覆し、枢体とライニング層との間にＦＲＰ製三次元中空構造層を形成し、三次元中空構造層またはその連通部に液体検知器１２を設けたことを特徴とする。また、液体検知器１２は、枢体の底部に位置された三次元中空構造層内またはその連通部内に設けられている。【選択図】図１
0003102857.tif 000002
【実用新案登録請求の範囲】
【請求項１】
コンクリート等の構造枢体からなる排水等貯槽に設けられた漏液検知装置であって、前記枢体の内壁表面を重防蝕用樹脂のライニング層で被覆し、前記枢体と前記ライニング層との間にはＦＲＰ製三次元中空構造層を形成し、前記三次元中空構造層の連通部に液体検知器を設けたことを特徴とする排水等貯槽用漏液検知装置。
【請求項２】
前記ＦＲＰ製三次元中空構造層が三次元中空繊維にビニールエステル樹脂を含浸させて硬化することにより形成され、対向する平板体を一体の多数の支柱状体で繋ぐことにより中空構造とされていることを特徴とする請求項１に記載された排水等貯槽の漏液検知装置。
【請求項３】
前記液体検知器は、前記枢体の底部に位置された前記三次元中空構造層内またはその連通部内に設けられていることを特徴とする請求項１または２のいずれか１項に記載された排水等貯槽の漏液検知装置。
【請求項４】
前記液体検知器は、排水ポンプを導入することができる導入管を通して、前記三次元中空構造層またはその連通部に位置決めされていることを特徴とする請求項１乃至３のいずれか１項に記載された排水等貯槽の漏液検知装置。
【考案の詳細な説明】
【技術分野】
【０００１】
本考案は、排水等の貯槽に設けられる漏液検知装置に係り、特に、常態では危険な薬液を貯蔵するための地下貯槽に自然災害等によりひび割れの発生等があっても、そこからの薬液の漏れを検知することができる漏液検知装置に関する。
【背景技術】
【０００２】
従来、既設の地下貯槽は、コンクリート製のものが殆どであり、そこに貯えられる薬液レベルに対応して、各種ＦＲＰ(Fiberglass Reinforce Plastic)をライニング工法およびコーティング工法等の手段によりコンクリート下地に密着させることにより、防蝕、防水効果を得るよう対処されている。
【考案の開示】
【考案が解決しようとする課題】
【０００３】
このような十分な防蝕、防水効果を得ることができるような工法が施行された地下貯槽であっても、近年の地球レベルの環境問題が深刻化していることから、環境マネジメントシステムの確立、国際規格ＩＳＯ１４００１の認証の一環として、薬液の地下浸透による土壌汚染の防止、そして監視要求に基づいて、そのような事態の早期発見が要求されている。
【０００４】
本考案は、このような課題を解決するためになされたものであり、枢体とライニング層との間にＦＲＰ製三次元中空構造層を設けることにより速やかに漏れ液を検知管に導入して早期発見を可能にした排水等貯槽の漏液検知装置を提供することを目的とするものである。
【課題を解決するための手段】
【０００５】
上記目的を達成するために、本考案による排水等貯槽の漏液検知装置は、コンクリート等の構造枢体からなる排水等貯槽に設けられた漏液検知装置であって、前記枢体の内壁表面を重防蝕用樹脂のライニング層で被覆し、前記枢体と前記ライニング層との間にＦＲＰ製三次元中空構造層を形成し、該三次元中空構造層またはその連通部に液体検知器を設けたことを特徴とする。
【０００６】
また、上記排水等貯槽の漏液検知装置においては、ＦＲＰ製三次元中空構造層が三次元中空繊維にビニールエステル樹脂を含浸させて硬化することによりなり、対向する平板体を一体の多数の支柱状体で繋ぐことにより中空構造とされていることを特徴とする。
【０００７】
また、上記排水等貯槽用漏液検知装置における液体検知器は、枢体の底部に位置された三次元中空構造層内に設けられていることを特徴とする。
【０００８】
さらに、上記排水等貯槽用漏液検知装置における液体検知器は、排水ポンプを導入することができる導入管を通して、三次元中空構造層またはその連通部内に位置決めされていることを特徴とする。
【考案の効果】
【０００９】
本考案による排水等貯槽の漏液検知装置は、コンクリート等の構造枢体からなる排水等貯槽に設けられた漏液検知装置において、枢体の内壁表面を重防蝕用樹脂のライニング層で被覆し、前記枢体と前記ライニング層との間にＦＲＰ製三次元中空構造層を形成し、該三次元中空構造層またはその連通部に液体検知器を設けているので、構造枢体の破断があっても、ＦＲＰ製三次元中空槽は独立して貯槽機能を有し、安全性を維持することができ、地下浸透の恐れが無く、さらに、その部分からの漏液を中空構造層を通して速やかに液体検知器に導くことができ、漏液の早期発見が可能である。
【００１０】
また、ＦＲＰ製三次元中空構造層は三次元中空繊維にビニールエステル樹脂を含浸させて硬化することによりなり、対向する平板体を一体の多数の支柱状体で繋ぐことにより中空構造とされているので、ライニング層とともに貯槽の内壁を覆うように設けられても、貯槽容量を殆ど変更することなく設けることができ、その中空構造によって地下漏洩の点検が可能ある。
【００１１】
このような漏液検知装置において、液体検知器は、枢体の底部に位置された三次元中空構造層内に設けられているので、構造枢体のどの部分の破断による漏液も三次元中空構造体の内部を枢体底部に導かれるので、検知器の連通部に導入されて検知器による早期の発見を行うことができる。
【００１２】
さらに、排水等貯槽用漏液検知装置における液体検知器は、排水ポンプを導入することができる導入管を通して、三次元中空構造層に位置決めされているので、検知器による漏洩を検知すると、地下漏洩を最小限にするために排水ポンプによる排水の必要性に即座に対応することができる。
【００１３】
以上のような作用効果は、以下の実施例の説明によりさらに明確にされるであろう。
【実施例】
【００１４】
以下において、本考案の実施例を図面を参照して説明する。
本考案の実施例による排水等貯槽の漏液検知装置は、図１に示すように、コンクリート等の構造枢体２１からなる排水等貯槽２０に設けられた漏液検知装置１０であって、枢体の内壁表面を重防蝕用樹脂のライニング層２２，２２’で被覆し、枢体とライニング層との間にＦＲＰ製三次元中空構造層２４を形成し、この三次元中空構造層２４またはその連通部に液体検知器１２を設けている。
【００１５】
図１に示す貯槽は、地中に設けられる地下槽２０の例であり、コンクリート製の枢体２１は、その上面が地面と同一平面になるように地下に位置されていて、薬液等の注入、保守、管理のために上面に貫通穴が設けられている。そして、地下槽２０内部の底部は、シンダーコンクリート２６で覆われていて、部分的に覆われていない凹部となる個所を有しており、貯液の回収のために１箇所に集めることができるようになっている。
【００１６】
このような枢体２１の内壁面には、まず、三次元中空層を形成するために直接ウォーターダクトシステム２４が天井面を除いて底面および側壁に敷設されていて、このウオーターダクトシステム２４の上にはＦＲＰライニング層が被覆され、天井面から貫通穴の表面には厚さの薄いＦＲＰライニング層２２’により被覆されている。これらのＦＲＰライニング層２２，２２’は、薬液がシアン系液、クロム系液、高濃度の酸、アルカリ液のための貯槽として耐えられるものであり、地下浸透の場合土壌が汚染される恐れのあるものに適用することができるものである。
【００１７】
そして、ウォーターダクトシステム２４は、図３のイメージ図に示される構造を有し、商品名「パラビウム」によって市販されているような、離隔された平坦部が多数の柱部によって繋がれている三次元中空繊維からなるものに、ＦＲＰを含浸させることにより形成されたものであり、表面平板体２４４、裏面平板体２４６および柱体２４６からなる中空ＦＲＰ成形体２４２からなるものである。この中空ＦＲＰ成形体２４２は、約２５万本／ｍ２のＦＲＰの柱体２４６を有し、高圧縮に耐えるだけでなく、高曲げ剛性も有するものである。
【００１８】
以上のように構成された地下槽２０には、濾液検知装置１０が以下のように設けられる。
濾液検知装置１０は、一端部が地上に突出しかつウオーターダクトシステム２４に下端の他端部が進入するように垂直に配置されたビニールエステル樹脂製ＦＲＰからなる導入管１６、この導入管１６が位置するウォーターダクトシステム２４の連通部２５において、そこに存在する濾液を検知することができる検知器１２、地上に設けられたセンサー・パネル盤１８、検知器１２とセンサー・パネル盤１８とを繋ぐ信号伝達のためのケーブル１４からなっていて、ウオーターダクトシステム２４に濾液が存在する場合には、センサー・パネル盤１８に信号を送り、警報を表示することができるようになっている。
【００１９】
導入管１６は、ポンプを通すことができる直径を有し、検知器２５によって漏液を検知した場合、地下への濾液の浸透をできるだけ減らすため、ポンプを連通部２５に設置して、貯液自体の排出に先だって、地下浸透の恐れのある濾液の排出を行うことができるようになっている。
【００２０】
上記構成の濾液検知装置１０は、地下槽２０の枢体２１の内壁を被覆して敷設されるＦＲＰライニング２２，２２’、枢体２１とＦＲＰライニング２２との間の三次元中空構造層を形成する中空ＦＲＰ成形体２４２とともに設置することにより有効に機能するものであり、ＦＲＰライニング２２、２２’の厚さは２〜２．５ｍｍ、３〜３．５ｍｍ等を有するものであり、中空ＦＲＰ成形体２４２は３ｍｍ，５ｍｍ等の厚さを有するものであり、大幅な厚みを有するものではないので、貯槽容量の変更をさせることなく設置することができる。
【００２１】
そして、ＦＲＰライニング２２，２２’、中空ＦＲＰ成形体２４２、検知器１２等の導入管１６は、全て重防蝕用樹脂のみの構造にされていて、ほとんどの薬液に耐用であり、メインテナンスフリーの耐久性を有したものである。したがって、地震等の自然災害で枢体２１に破断があっても、枢体２１の内側に存在するＦＲＰからなる強靭な貯槽が独立して設けられることになるので、破断の影響を受けず、例え、受けたとしても安全性を維持することができる。そして、ＦＲＰライニング層２２，２２’が破壊されることはなくても、亀裂等が生じて、そこから薬液が漏れても、検知器１２によって漏れが検知されるとセンサー・パネル盤１８へ信号が送られて早期の発見が可能であり、必要であればポンプによる排水も行うことができる。
【００２２】
上記の漏液検知装置１０のウォーター・ダクトシステム２４を２例、品番ＷＤＳ３およびＷＤＳ５について、その機械的な機能を示すと以下のようになる。
【００２３】
0003102857.tif 000003
【００２４】
以上のような濾液検知装置２０は、地下槽２０に設けられた場合を説明したが、地上に設けられた貯槽の場合を図２を参照して説明する。
【００２５】
図２に示されるように、地上槽３０の場合、コンクリート製枢体３１の内部底面が地面３９より上方に位置した状態に設けられるものであり、三次元中空構造のウォーター・ダクトシステム３４は底面部のみに設けられている。地下槽２０と同様に、枢体３１の底面部は、一部分を残してシンダーコンクリート３６が打設されていて、その上面をウォーターダクトシステム３４で覆われ、このウォーターダクトシステム３４の構造は、図３に示すような中空ＦＲＰ成形体２４２と同じものであり、図２に示すように底面部のみに敷設されている。そして、その上をＦＲＰライニング２２が枢体３１の側面上端まで被覆するように敷設される。枢体３１の内部天井面および貫通穴の壁面を被覆するように厚みの異なったＦＲＰライニング２２’が敷設されている。
【００２６】
このような地上槽３０においては、地下槽２０と同様に漏液検知装置２０が設けられ、下端部をウォーターダクトシステム３４に挿入しかつ上端部を天井面に達するようにした導入管１６’、ウォーターダクトシステム３４の連通部２５に位置するように設けられた検知器１２、この検知器１２とセンサー・パネル盤１８とを繋ぐ信号伝達用のケーブル１４とを備えてなるものである。導入管１６’は、中空の円形断面を有するものであってもよいが、図２（Ｂ）に示すように矩形断面の柱状体であってもよく、枢体３１の天井部分の穴に連通するように設けられ、外側へ突出する部分は他の部材、形状を有するように形成されてもよい。
【００２７】
このような地上槽３０では、側壁部分には中空ＦＲＰ成形体２４２が敷設されていないが、例え、地震等の自然災害によってＦＲＰライニング２２の亀裂が生じて、そこから薬液が流出しても、枢体３１から地中３８内への直接の漏液の浸入はないので、側壁に対向するＦＲＰライニング２２に沿って底部の中空ＦＲＰ成形体２４２内へ流入することになり、その時点で濾液検知装置１０の検知器１２により濾液を検知することができ、地中３８への浸入に先立って導入管１６’の底部の連通部３５にポンプを投入して濾液の排出作業を行うことができる。その際、導入管１６’は、図２（Ｂ）に示すように断面矩形状にされて、ＦＲＰライニング２２と同じ材質によって、壁面部と一体に形成されてもよい。
【００２８】
上記のような濾液検知装置１０を設ける場合、ＦＲＰライニング２２は、ウォーターダクトシステム２４、３４を挟むことにより、地下槽２０あるいは地上槽３０の内壁に敷設されるが、地上槽３０であれば、図４（Ａ）から図４（Ｃ）に示すような、そして、地下槽２０であれば、図４（Ｄ）に示すような貯槽において、壁面の濃い黒塗り部分のように敷設することができ、地震等の自然災害による影響を受けないか、最小限にすることができる強靭な内部貯槽を提供することができる。
【図面の簡単な説明】
【００２９】
【図１】本考案の一実施の形態による地下槽に設けられた濾液検知装置を示し、（Ａ）はその断面説明図、（Ｂ）は（Ａ）の線ＩＢ−ＩＢに沿った断面図である。
【図２】本考案の他の実施の形態による地上槽に設けられた濾液検知装置を示し、（Ａ）はその断面説明図、（Ｂ）は（Ａ）の線ＩＩＢ−ＩＩＢに沿った断面図である。
【図３】本考案による濾液検知装置に用いられる三次元中空繊維の部分斜視図である。
【図４】本考案による濾液検知装置が設けられる地上槽を示し、（Ａ）から（Ｄ）まではそれらの断面図である。
【符号の説明】
【００３０】
１０  漏液検知装置
１２  センサー
１４  センサー・ケーブル
１６  センサー等導入管
１６’  センサー等導入管
１８  センサー・パネル盤
２０  地下槽
２１  地下槽枢体
２２  ＦＲＰライニング
２２’  ＦＲＰライニング
２４  ウォーターダクトシステム
２５  連通部
２６  シンダーコンクリート
３０  地上槽
３１  地上槽枢体
３４  ウォーターダクトシステム
３５  連通部
３６  シンダーコンクリート
３８  地中
３９  地面
２４２  中空ＦＲＰ成形体
２４４  表面平板体
２４６  裏面平板体
２４８  柱体
【図１】
0003102857.tif 000004
【図２】
0003102857.tif 000005
【図３】
0003102857.tif 000006
【図４】
0003102857.tif 000007